(57)【特許請求の範囲】
【請求項１】
患者に対して血液浄化治療を施す装置本体を具備し、患者又は装置本体の状態を表示するとともに、血液浄化治療に係わる動作又は表示を任意操作すべく入力可能な入力手段を有する表示手段が前記装置本体に配設された血液浄化装置において、
前記表示手段は、操作者側を向いた第１位置と患者側を向いた第２位置との間で回動可能とされるとともに、前記入力手段は、当該第１位置で操作が可能とされつつ当該第２位置で操作が規制されるものとされ、前記第１位置と第２位置とが任意の角度に設定可能とされたことを特徴とする血液浄化装置。
【請求項２】
前記表示手段の位置を検出する検出手段と、
該検出手段にて検出された位置が前記第１位置又は第２位置の何れであるかを認識し得る認識手段と、
該認識手段にて表示手段が第１位置にあるとき当該入力手段に対する操作を許容しつつ第２位置にあるとき当該入力手段に対する操作を規制する制御手段と、
を具備したことを特徴とする請求項１記載の血液浄化装置。
【請求項３】
前記表示手段は、患者及び装置本体の状態を表示する画面を有するとともに当該画面の所定位置を触れることにより操作可能なタッチパネルモニタから成ることを特徴とする請求項１又は請求項２記載の血液浄化装置。
【請求項４】
前記タッチパネルモニタの表示内容は、前記第１位置と第２位置とで異なることを特徴とする請求項３記載の血液浄化装置。
【発明の詳細な説明】
【技術分野】
【０００１】
本発明は、患者に対して血液浄化治療を施す装置本体を具備し、患者又は装置本体の状態を表示するとともに、血液浄化治療に係わる動作又は表示を任意操作すべく入力可能な入力手段を有する表示手段が前記装置本体に配設された血液浄化装置に関するものである。
【背景技術】
【０００２】
血液透析（ＨＤ）を行うための血液透析装置は、腎機能に障害を生じた患者を治療する装置であり、ダイアライザ等の半透膜を隔てて血液と透析液とを流通させることにより、拡散による溶質除去及び限外濾過による余剰水分除去（除水）を行うよう構成されている。然るに、従来より、透析治療中において患者や装置本体の状態を表示するためのタッチパネルモニタを具備したものが多く提供されるに至っている。
【０００３】
かかるタッチパネルモニタは、患者又は装置本体の状態を表示するとともに血液透析治療（血液浄化治療）に係わる動作又は表示を任意操作すべく入力可能なものとされている。即ち、タッチパネルモニタは、患者及び装置本体の状態をリアルタイムで表示する画面を有するとともに当該画面の所定位置を触れることにより所定の動作を行わせるべく操作可能な入力手段を有しているのである。
【０００４】
また、上記タッチパネルモニタ（表示手段）は、従来、医療従事者等の操作者側を向いた位置（これを「第１位置」という）と患者側を向いた位置（これを「第２位置」という）との間で回動可能とされていた。これにより、医療従事者等が操作を行う際にはタッチパネルモニタを第１位置とするとともに、当該タッチパネルモニタの表示を患者に見せる際には、第２位置まで回動させ得るよう構成されていた。尚、かかる先行技術は、文献公知発明に係るものでないため、記載すべき先行技術文献情報はない。
【発明の開示】
【発明が解決しようとする課題】
【０００５】
しかしながら、上記従来の血液浄化装置は、タッチパネルモニタ（表示手段）を第２位置まで回動させて患者に当該タッチパネルモニタの表示を見せる際、患者が不用意に操作してしまい誤入力がなされてしまう虞があった。即ち、タッチパネルモニタを患者側に向けた際には、当該タッチパネルモニタに対する不用意な操作が容易になされてしまう状態となるため、誤入力の可能性が高まってしまうのである。
【０００６】
本発明は、このような事情に鑑みてなされたもので、患者による入力手段に対する不用意な操作を回避して誤入力を抑制することができる血液浄化装置を提供することにある。
【課題を解決するための手段】
【０００７】
請求項１記載の発明は、患者に対して血液浄化治療を施す装置本体を具備し、患者又は装置本体の状態を表示するとともに、血液浄化治療に係わる動作又は表示を任意操作すべく入力可能な入力手段を有する表示手段が前記装置本体に配設された血液浄化装置において、前記表示手段は、操作者側を向いた第１位置と患者側を向いた第２位置との間で回動可能とされるとともに、前記入力手段は、当該第１位置で操作が可能とされつつ当該第２位置で操作が規制されるものとされ、前記第１位置と第２位置とが任意の角度に設定可能とされたことを特徴とする。
【０００８】
請求項２記載の発明は、請求項１記載の血液浄化装置において、前記表示手段の位置を検出する検出手段と、該検出手段にて検出された位置が前記第１位置又は第２位置の何れであるかを認識し得る認識手段と、該認識手段にて表示手段が第１位置にあるとき当該入力手段に対する操作を許容しつつ第２位置にあるとき当該入力手段に対する操作を規制する制御手段とを具備したことを特徴とする。
【０００９】
請求項３記載の発明は、請求項１又は請求項２記載の血液浄化装置において、前記表示手段は、患者及び装置本体の状態を表示する画面を有するとともに当該画面の所定位置を触れることにより操作可能なタッチパネルモニタから成ることを特徴とする。
【００１０】
請求項４記載の発明は、請求項３記載の血液浄化装置において、前記タッチパネルモニタの表示内容は、前記第１位置と第２位置とで異なることを特徴とする。
【発明の効果】
【００１１】
請求項１、２の発明によれば、表示手段は、操作者側を向いた第１位置と患者側を向いた第２位置との間で回動可能とされるとともに、当該第１位置で入力手段による入力が可能とされつつ当該第２位置で入力手段による入力が規制されるので、患者による入力手段に対する不用意な操作を回避して誤入力を抑制することができる。
【００１２】
請求項３の発明によれば、表示手段は、患者及び装置本体の状態を表示する画面を有するとともに当該画面の所定位置を触れることにより操作可能なタッチパネルモニタから成るので、入力手段に対する操作の規制をより容易に行わせることができる。
【００１３】
請求項４の発明によれば、タッチパネルモニタの表示内容は、第１位置と第２位置とで異なるので、操作者にとって必要な情報と患者にとって必要な情報とで区分けして表示させることができる。
【発明を実施するための最良の形態】
【００１４】
以下、本発明の実施形態について図面を参照しながら具体的に説明する。
本実施形態に係る血液浄化装置は、図１〜図３に示すように、患者に対して血液浄化治療を施す装置本体１を具備し、患者又は装置本体１の状態を表示するとともに、血液浄化治療に係わる動作又は表示を任意操作すべく入力可能な入力手段Ｎを有する表示手段２が装置本体１に配設されたものである。
【００１５】
装置本体１は、血液透析（ＨＤ）、血液透析濾過（ＨＤＦ）、血液濾過（ＨＦ）又は持続緩徐式血液濾過（ＣＨＦ）等の治療を施すことが可能な血液浄化装置から成り、例えば血液ポンプ、補液ポンプ、気泡検出器、シリンジポンプ及び液晶モニタ等、患者に対して血液浄化治療を施すための種々機器を構成する治療部６（図３参照）を有して構成されている。尚、本実施形態においては、血液透析治療を行い得る透析装置に適用しているが、これに代えて他の血液浄化治療（血漿交換や二重濾過血漿交換等）を行う装置に適用してもよい。また、本実施形態においては、装置本体１は、血液回路に接続されたダイアライザに透析液を供給し得るとともに、当該ダイアライザからの排液を排出させ得るよう構成されている。
【００１６】
表示手段２は、図４に示すように、患者及び装置本体１の状態を表示する画面２ａを有するとともに当該画面２ａの所定位置を触れることにより操作可能なタッチパネルモニタから成るものである。具体的には、治療中における患者のバイタルサイン（血圧などの生体情報）や除水の進行具合が画面２ａにて表示されるとともに、当該画面２ａにおける符号２ａａ〜２ａｅで示す何れかの位置を触れることにより、その表示に従う入力がなされる入力手段Ｎを具備して構成されているのである。
【００１７】
更に、画面２ａの下部には、他の入力手段Ｎとしての電源の入切操作や装置本体１の治療部６に対する操作を行わせる操作ボタン２ｂ（血液ポンプの操作ボタン２ｂａ、警報ブザーの停止ボタン２ｂｂ、及び電源ボタン２ｂｃ）が形成されている。かかる操作ボタン２ｂによっても、血液浄化治療に係わる動作又は表示を任意操作すべく入力可能とされている。
【００１８】
また、表示手段２は、装置本体１の正面側における操作者側を向いた第１位置（図１参照）と、ベッドＢに横臥又は着座した患者側を向いた第２位置（図２参照）との間で回動可能とされている。即ち、医療従事者等の操作者が入力手段Ｎに対する入力を行う際には、表示手段２を第１位置とし、その操作性を向上させるとともに、当該表示手段２の表示を患者に見せる際には、表示手段２を第２位置まで回動し、画面２ａの表示を視認させ得るよう構成されているのである。
【００１９】
一方、装置本体１には、図３に示すように、検出手段３と、認識手段４と、制御手段５とが配設されている。検出手段３は、表示手段２の位置を検出するためのもので、例えばマイクロスイッチ、リードスイッチ、フォトセンサ及び回転角度センサ（回転位置センサ）等を用いることができる。本実施形態においては、図５、６に示すように、検出部７ａを具備したマイクロスイッチ７が用いられている。
【００２０】
このマイクロスイッチ７は、表示手段２の回動と連動して回動可能とされており、当該表示手段２が第１位置にあるとき、図５に示すように、電気的にオフ状態となっている。而して、表示手段２を第２位置まで回動すると、図６に示すように、検出部７ａが台座部Ｈに形成された凸部８と干渉して電気的にオンするようになっている。これにより、表示手段２が第１位置にあるときと第２位置にあるときとで、電気的オン、オフを行わせ、その位置を検出可能とされているのである。
【００２１】
尚、表示手段２が操作者側を向いた第１位置と、患者側を向いた第２位置とは、装置本体１が配設されるレイアウト等により種々変わるため、当該装置本体１を設置する際、第１位置と第２位置との設定を行い得るよう構成されている。例えば、図７に示すように、表示手段２が患者側を向いた位置からθ１まで回動した位置の間を第１位置とし、そこから患者側を向いた位置まで回動した位置の間を第２位置とした場合、これらθ１、θ２を適宜設定し得るよう構成できる。
【００２２】
一方、検出手段３として回転角度センサ（回転角度を連続的に検出し、回転角度、位置に応じた電圧等の情報を出力することができるもの）を用いれば、表示手段２の回転角度を電気的な情報（電圧等）で取得することが可能であるため、データベースＤに保存された入力制限及びその解除の条件の設定（閾値となる電圧値）を変更することで、入力制限及びその解除の設定位置変更をハードウェアの調整を行うことなく、ソフトの設定を変えるだけで実施することができる。
【００２３】
認識手段４は、検出手段３と電気的に接続された演算手段Ｅから成るとともに、当該検出手段３にて検出された位置が第１位置又は第２位置の何れであるかを認識し得るもので、本実施形態においてはマイクロスイッチ７が電気的にオン状態となっているか或いはオフ状態なのかを把握してその位置を認識し得るよう構成されている。尚、認識手段４の演算手段Ｅは、所定のデータベースＤと情報の交換が可能な構成とされている。このデータベースＤは、第１位置及び第２位置を認識し得る各種データ、それぞれの位置のとき表示手段２での表示形態等のデータを記憶したもの等である。然るに、入力を制限された状態でも緊急性の高い操作は許容するようデータベースＤを構成してもよい。
【００２４】
制御手段５は、認識手段４の演算手段Ｅ及び表示手段２の入力手段Ｎと電気的に接続されるとともに、当該認識手段４にて表示手段２が第１位置にあるとき入力手段Ｎに対する操作を許容しつつ第２位置にあるとき当該入力手段Ｎに対する操作を規制するものである。即ち、表示手段２が第１位置にあって操作者側を向いているときには、画面２ａにおける所定位置２ａａ〜２ａｅを触れ、或いは操作ボタン２ｂを操作することにより、血液浄化治療に係わる動作又は表示を任意操作すべく入力可能とされている一方、表示手段２が第２位置にあって患者側を向いているときには、当該操作による入力を受け付けないようになっているのである。
【００２５】
従って、本実施形態によれば、表示手段２は、操作者側を向いた第１位置と患者側を向いた第２位置との間で回動可能とされるとともに、入力手段Ｎは、当該第１位置で操作による入力が可能とされつつ当該第２位置で操作による入力が規制されるので、患者による入力手段Ｎに対する不用意な操作を回避して誤入力を抑制することができる。
【００２６】
また、本実施形態においては、表示手段２が第２位置にあるとき、当該入力手段Ｎによる入力を受け付けないよう構成されているが、入力し得る表示（本実施形態においては、画面２ａにおける所定位置２ａａ〜２ａｅ）自体を行わないよう構成してもよい。このように、本実施形態においては、表示手段２が患者及び装置本体の状態を表示する画面２ａを有するとともに当該画面２ａの所定位置を触れることにより操作可能なタッチパネルモニタから成るので、入力手段Ｎに対する操作の規制をより容易に行わせることができる。
【００２７】
また更に、表示手段２を構成するタッチパネルモニタの表示内容を、第１位置と第２位置とで異なるよう構成してもよい。例えば、表示手段２が第２位置にあるとき、上述の如く入力し得る表示自体を行わず、その代わり患者にとって必要な情報（例えば治療中の血圧などのバイタルサインや除水時間等）を表示させるようにするのが好ましい。而して、タッチパネルモニタの表示内容は、第１位置と第２位置とで異なるので、操作者にとって必要な情報と患者にとって必要な情報とで区分けして表示させることができる。
【００２８】
また、図７におけるθ１、θ２の設定を微調整可能とすれば、例えば表示手段２の画面２ａを患者側に完全に向けないと、入力手段Ｎに対する入力操作が規制されず、少しでも画面２ａを第１位置方向に戻せば、入力手段Ｎに対する入力を許容するよう設定することができる。これにより、緊急時、スタッフが画面２ａを完全に第１位置まで戻さなくても、入力手段Ｎに対する入力を行って対処し得るようにすることができる。
【００２９】
また、表示手段２が第２位置から第１位置に至ったとき、直ぐに入力手段Ｎに対する入力操作を許容するのではなく、一定時間経過した後、入力手段Ｎに対する入力操作を許容するよう遅延時間を設定し得る構成にしてもよい。この場合、コンピュータ等が具備する時計と第２位置の検出状態から、入力手段Ｎに対する入力操作の許容を行わせることができる。
【００３０】
次に、本実施形態における制御内容について図８のフローチャートに基づいて説明する。
まず検出手段３により表示手段２の位置（モニタ位置）を検出し（Ｓ１）、認識手段４の演算手段Ｅにより当該モニタ位置を識別し、表示手段２が、操作者側を向いた第１位置にあるのか、或いは患者側を向いた第２位置にあるのかを認識する（Ｓ２）。その後、画面２ａの表示形態を変更させる要求があるか否かが判定され（Ｓ３）、要求がある場合は患者向けの表示を画面２ａにて表示させる（Ｓ４）一方、要求がない場合は画面２ａにおける表示形態の変更を行わない（Ｓ５）。
【００３１】
そして、表示手段２の位置に基づき、入力手段Ｎに対する入力操作の規制（入力制限）があるか否かが判定され（Ｓ６）、制御手段５にて、当該表示手段２が第２位置にあるとき入力手段Ｎに対する操作を規制する（Ｓ７）とともに、表示手段２が第１位置にあるとき当該入力手段Ｎに対する操作を許容（入力の許可）する（Ｓ８）。
【００３２】
以上、本実施形態について説明したが、本発明はこれに限定されるものではなく、例えば表示手段２がタッチパネルモニタと異なるもの（但し、患者又は装置本体の状態を表示しつつ血液浄化治療に係わる動作又は表示を任意操作すべく入力可能なもの）としてもよい。他の入力手段として、例えばＬＣＤモニタタッチパネル、シートキー、スイッチ、音声入力等を並設させたものとしてもよい。
【産業上の利用可能性】
【００３３】
表示手段は、操作者側を向いた第１位置と患者側を向いた第２位置との間で回動可能とされるとともに、入力手段は、当該第１位置で操作が可能とされつつ当該第２位置で操作が規制されるものとされ、第１位置と第２位置とが任意の角度に設定可能とされた血液浄化装置であれば、外観形状が異なるもの或いは他の機能が付加されたもの等にも適用することができる。
【図面の簡単な説明】
【００３４】
【図１】本発明の実施形態に係る血液浄化装置（表示手段が第１位置にあるとき）を示す模式図
【図２】同血液浄化装置（表示手段が第２位置にあるとき）を示す模式図
【図３】同血液浄化装置を示すブロック図
【図４】同血液浄化装置における表示手段の画面表示を示す模式図
【図５】同血液浄化装置における検出手段（表示手段が第１位置にあるとき）を示す斜視図
【図６】同血液浄化装置における検出手段（表示手段が第２位置にあるとき）を示す斜視図
【図７】同血液浄化装置における表示手段の回転角度を示す模式図
【図８】同血液浄化装置における制御内容を示すフローチャート
【符号の説明】
【００３５】
１    装置本体
２    表示手段（タッチパネルモニタ）
３    検出手段
４    認識手段
５    制御手段
６    治療部
７    マイクロスイッチ
８    凸部
Ｎ    入力手段
Ｅ    演算手段
Ｄ    データベース
【図１】
0005103115.tif 000002
【図２】
0005103115.tif 000003
【図３】
0005103115.tif 000004
【図４】
0005103115.tif 000005
【図５】
0005103115.tif 000006
【図６】
0005103115.tif 000007
【図７】
0005103115.tif 000008
【図８】
0005103115.tif 000009